(57)【要約】【課題】  ユーザが携帯端末に対して、実行を所望する機能を選択したときに、選択された機能が起動されるまでの時間を短縮できる携帯端末を提供する。【解決手段】  少なくとも２つ以上の異なる機能（３、４、５）を有する携帯端末（１）において、機能選択部（２）はユーザによる機能の選択を受け付けると共に、機能を実現する処理をユーザによる機能選択の完了以前に先行開始させ、さらに受け付けられた機能が先行開始された機能と異なる場合には先行開始された処理を中断する。【選択図】  図１
2007081951.tif 000002
【特許請求の範囲】
【請求項１】
少なくとも２つ以上の異なる機能を有する携帯端末であって、
ユーザによる前記機能の選択を受け付ける機能選択手段と、
前記機能を実現する処理を前記機能選択の以前に先行開始させる機能先行実行手段と、
前記受け付けられた機能が、前記処理が先行開始された機能と異なる場合には、当該先行開始された処理を中断する処理中断手段とを備える携帯端末。
【請求項２】
前記機能はテレビ視聴であり、当該テレビ視聴を実現するテレビ視聴手段を備え、
前記機能先行実行手段は前記ユーザによる機能選択を受け付ける前に、選局処理を先行開始させ、
前記処理中断手段は、前記受け付けられて機能がテレビ機能で無い場合に、前記先行開始された選局処理を中断することを特徴とする、請求項１に記載の携帯端末。
【請求項３】
前記機能選択手段は、ユーザに対して選択可能な機能をメニューとして提示し、
前記機能先行実行手段は前記提示された機能を実現する処理を先行開始させることを特徴とする請求項１に記載の携帯端末。
【請求項４】
前記機能の選択は、ユーザによる機能キーの長押しであり、
前記機能先行実行手段は前記機能に対応する機能キーの押下時間が所定時間より短い場合に前記先行開始させた処理を中断させることを特徴とする、請求項１に記載の携帯端末。
【請求項５】
前記機能の選択は、ユーザによる機能キーの繰り返し押下であり、
前記機能先行実行手段は前記機能に対応する機能キーが連続して押下される時間間隔が所定時間より長い場合に前記先行開始させた処理を中断させることを特徴とする、請求項１に記載の携帯端末。
【請求項６】
少なくとも２つ以上の異なる機能を有する携帯端末において、実行させる機能を選択実行する方法であって、
ユーザによる前記機能の選択を受け付ける機能選択受付ステップと、
前記機能を実現する処理を前記機能選択の以前に先行開始させる機能先行実行ステップと、
前記受け付けられた機能が、前記処理が先行開始された機能と異なる場合には、前記先行開始された処理を中断する処理中断ステップとを備える方法。
【発明の詳細な説明】
【技術分野】
【０００１】
本発明は、携帯端末、およびその起動方法に関し、さらに詳述すれば、複数の機能を搭載する携帯端末において実行させる機能を選択する際の起動方法に関する。
【背景技術】
【０００２】
カメラ機能や音楽再生機能など、複数の機能を搭載する携帯端末が市場に投入されつつある。そのような携帯端末には、カメラ機能やテレビ受信機能を搭載した携帯電話も多く含まれる。さらに、携帯受信専用放送として帯域を限定した１セグメント放送受信機能を搭載する携帯端末の開発が期待される。１セグメント放送には、伝送方式として映像、音声、およびデータなどのコンテンツを一つのストリームに多重化して伝送するＭＰＥＧ２−ＴＳ（Ｔｒａｎｓｐｏｒｔ  Ｓｔｒｅａｍ）方式が用いられている。
【０００３】
なお、多重化される映像の符号化方式には、Ｈ．２６４規格に基づいて、動き補償フレーム間予測が用いられている。動き補償フレーム間予測とは、時間軸方向のフレーム画像間において、前画面画像に関する情報と、被写体の動きを考慮した次の画面画像に関する予測画面画像との差分のみを用いて、原画像に近い画像を再現することを可能とする圧縮方法である。
【０００４】
動き補償フレーム間予測によって圧縮された映像データをデコードするためには、必ず前後の画面とは関係なくその画面内の情報だけで独立して符号化されたデータを必要とする。そのために、一定の期間ごとに当該独立して符号化されたデータが挿入される。この独立して符号化されたデータが表す画像は、ＩＤＲ（Ｉｎｓｔａｎｔａｎｅｏｕｓ  Ｄｅｃｏｄｉｎｇ  Ｒｅｆｒｅｓｈ）ピクチャと呼ばれるが、本明細書においては、先頭ピクチャと称する。
【特許文献１】特開平１１−１７５２０５号公報
【発明の開示】
【発明が解決しようとする課題】
【０００５】
１セグメント放送の受信時には、受信したＭＰＥＧ２−ＴＳ方式の多重ストリームがデマルチプレックスされて、ユーザが選択するサービスに関する符号化された映像および音声がデコードされて映像信号および音声信号として出力される。しかしながら、映像データに関しては、先頭ピクチャを受信するまで出力することができない。それゆえに、ユーザが視聴を希望する番組を選局しても、直ちに映像が表示されずに、先頭ピクチャが受信されるまでの所定の期間に、ブラックアウトあるいは「しばらくお待ちください」などの断りを示す表示によるブランク期間が発生せざるを得ない。
【０００６】
また、携帯端末においては、省電力のために１セグメント放送の受信用チューナへの電源投入や視聴アプリケーションの動作を停止している場合が多い。それゆえに、チューナ電源投入停止時やアプリケーションの動作停止時にユーザが携帯端末の１セグメント放送受信機能（以下、「テレビ視聴機能」）を選択すれば、その度にテレビ視聴機能が起動してユーザがテレビ視聴できるまでに長い待ち時間が発生する。なお、テレビ視聴機能を例として述べたが、カメラ機能や携帯電話におけるＪＡＶＡ（登録商標）アプリなど、起動に時間を要する機能は多い。
本発明は、ユーザが携帯端末に対して、実行を所望する機能を選択したときに、選択された機能が起動されるまでの時間を短縮できる携帯端末を提供することを目的とする。
【課題を解決するための手段】
【０００７】
本発明に係る携帯端末は、少なくとも２つ以上の異なる機能を有し、
ユーザによる前記機能の選択を受け付ける機能選択手段と、
前記機能を実現する処理を前記機能選択の以前に先行開始させる機能先行実行手段と、
前記受け付けられた機能が、前記処理が先行開始された機能と異なる場合には、当該先行開始された処理を中断する処理中断手段とを備える。
【発明の効果】
【０００８】
本発明の携帯端末によれば、ユーザによる機能選択中に選択される機能の起動に必要な処理を開始させることで、ユーザの選択作業の完了後から選択された機能が実際に起動するまでの時間を短縮できる。その結果として、待ち時間によるユーザの不快感を和らげることができる。
【発明を実施するための最良の形態】
【０００９】
（第１の実施形態）
以下に、図１、図２、図３、および図４を参照して、本明細書の第１の実施の形態に係る携帯端末について説明する。図１に示すように、本実施の形態に係る携帯端末１ａは、機能選択部２ａ、テレビ視聴部３、画像撮影部４、音楽視聴部５、画像出力部６、画像入力部７、および音声出力部８を含む。機能選択部２ａは、キーやタッチパネルなどのユーザ入力に基づいて、ユーザが選択した機能の実行指示を受け付ける。テレビ視聴部３は、１セグメント放送などを受信する。画像撮影部４は、カメラ等の撮像装置を内蔵して、被写体を撮影した撮影画像信号を生成する。
【００１０】
音楽視聴部５は、フラッシュメモリなどに格納された符号化圧縮音楽データから音楽を再生する。画像出力部６は、液晶ディスプレイなどで構成されて、テレビ視聴部３により受信されたテレビ放送により配信されるテレビ映像やメニュー画面、画像撮影部４により撮影された画像を表示する。画像入力部７は、ＣＭＯＳカメラなどから入力される画像信号を受け付ける。音声出力部８は、スピーカやヘッドフォンなどで構成されて、テレビ視聴部３により受信されたテレビ放送により配信されるテレビ音声や、音楽視聴部５により再生された音楽を出力する。
【００１１】
なお、本実施の形態においては、テレビ機能、音楽再生機能およびカメラ機能を携帯端末１ａの搭載機能の１つとして説明している。しかしながら、携帯端末１ａには、これに限らず、ＪＡＶＡ（登録商標）アプリやボイスメモなどデータ処理および信号号処理に伴うコンテンツをユーザに提示する機能なども搭載できることは言うまでもない。なお、携帯端末１ａにおいては、機能選択部２のユーザに対する選択可能機能の提示とユーザによる機能選択操作入力に基づいて、テレビ視聴機能の実行が制御される。
【００１２】
図２を参照して、テレビ視聴部３の構成について詳細に説明する。テレビ視聴部３は、チューナ制御部１０、デジタルチューナ部１３、デマルチプレクサ部１４、映像制御部１８、映像制御命令部１９、および音声制御部２３を含む。チューナ制御部１０は、チャネルボタンおよびカーソルキー入力などのユーザによる選局操作を受け付けて、該当するチャネルに関するサービスを受信するための制御を行う。
【００１３】
デジタルチューナ部１３は、放送波を受信するデジタル放送受信部１１と、受信した放送波からデジタル信号を復調してＭＰＥＧ２−ＴＳ多重ストリームを取得する信号復調部１２とを含む。デマルチプレクサ部１４は、映像および音声が多重化されたＭＰＥＧ２−ＴＳ多重ストリームをデマルチプレックスして、映像ストリームおよび音声ストリームに分離する。
【００１４】
映像制御部１８は、映像復号部１５、映像バッファ１６、および映像出力制御部１７を含む。映像復号部１５は、映像ストリームを解析して、復号化を行う。映像バッファ１６は、デマルチプレクサ部１４から入力される映像ストリームを一時的に蓄積した後に、映像復号部１５に送り出す。映像出力制御部１７は、映像復号部１５によって復号化された映像データに、拡大、縮小、およびフェードイン・フェードアウトなどの映像処理やメニュー画面などとの合成処理を施して映像信号Ｓｖを生成する。なお、映像制御命令部１９は、映像制御部１８に開始や停止、および映像処理の種類などを指示する。
【００１５】
音声制御部２３は、音声復号部２０、音声バッファ２１、および音声出力制御部２２を含む。音声復号部２０は、音声ストリームを解析して、復号化を行う。音声バッファ２１は、デマルチプレクサ部１４から入力される音声ストリームを一時的に蓄積した後に、音声復号部２０に送り出す。音声制御部２３は、音声復号部２０によって復号化された音声データにフェードイン・フェードアウトなどの音声処理をして、音声信号Ｓａを生成する。なお、音声制御命令部２４は、音声制御部２３に開始や停止、および音声処理の種類などを命令する。
【００１６】
上述の如く構成された携帯端末１ａにおいて、視聴を希望するテレビ視聴を開始するためにユーザがテレビ視聴機能を選択すると、テレビ視聴部３は、先ずデジタルチューナ部１３への電源を投入する。テレビ視聴部３は次にチューナ制御部１０を介して初期チャネルの選局を行う。選局は以下の手順に従って実行される。
【００１７】
デマルチプレクサ部１４とチューナ制御部１０によって、受信した放送波（トランスポートストリームＴＳ）のＰＳＩ（Ｐｒｏｇｒａｍ  Ｓｐｅｃｉｆｉｃ  Ｉｎｆｏｒｍａｔｉｏｎ）セクションからＮＩＴ（Ｎｅｔｗｏｒｋ  Ｉｎｆｏｒｍａｔｉｏｎ  Ｔａｂｌｅ）が抽出される。さらに、抽出されたネットワーク情報テーブルＮＩＴに基づいて、ユーザの所望視聴を希望するサービス情報を調べられる。そして、次に目的とするサービスに関するＰＭＴ（Ｐｒｏｇｒａｍ  Ｍａｐｐｅｄ  Ｔａｂｌｅ）が抽出されて、取得すべき音声および映像に関するＰＩＤ（パケットＩＤ）が調査される。そして、対象となるＰＩＤをそれぞれ有する音声ストリームおよび映像ストリームが取得される。
【００１８】
映像復号部１５において、実際に映像ストリームを復号化するためには、復調に先立って、先頭ピクチャ以降の映像ストリームを取得するまで待ち、取得した映像ストリームは映像バッファ１６に格納される。その後、映像バッファ１６から先頭ピクチャから始まる映像ストリームが読み出されて、映像復号部１５によって復号化処理が施される。そして、必要であれば映像出力制御部１７によって拡大、縮小、回転、および合成などの処理をさらに施されて生成される映像信Ｓｖが画像出力部６から出力される。このようにして、ユーザは、所望するサービスに関する映像を視聴することができるが、先頭ピクチャから始まる映像ストリームが読み出された後に、ストリームから映像を生成する処理が開始される。それ故に、上述のように従来の携帯端末においては、ユーザがテレビ視聴機能を選択してから実際に映像が再生されるまでには、遅い場合には５秒以上もの時間が経過する。
【００１９】
本実施の形態に係る携帯端末１ａにおいては、上述の従来の携帯端末において生じるテレビ視聴機能の選択から映像が再生されるまでに生じる待ち時間を、以下に述べるように、機能選択部２ａによってユーザによる機能選択が完了する前に起動（選局処理）を開始させることによって解消している。
【００２０】
次に図３に示すフローチャートを参照して、本実施の形態に係る携帯端末１ａにおいて、とくに機能選択部２ａによる機能選択および機能起動動作について説明する。なお、本例においは、ユーザは携帯端末１ａによって画像出力部６の液晶ディスプレイに提示されるメニューに基づいて、起動を所望する機能を選択するものとする。なお、ユーザの機能選択は、例えば画像出力部６の液晶ディスプレイにタッチパネルを設けて、ユーザの指などの接触をもって機能選択入力とすることが考えられる。
【００２１】
先ず、ステップＳ１において、画像出力部６によって、図４および図５に例示する機能選択用のメニュー画面が表示される。そして、表示されているメニュー画面に基づく、ユーザによる機能選択入力の受付が開始される。制御は次のステップＳ２に進む。
【００２２】
ステップＳ２において、現在起動中の機能がテレビ視聴機能であるか否かが判断される。Ｎｏと判断される場合、制御はステップＳ３に進む。そして、制御は次のステップＳ４に進む。
【００２３】
ステップＳ３において、選局処理が開始される。つまり、本例においてはユーザが選択可能な機能としてテレビ視聴機能が含まれており、テレビ視聴機能を実現する為には選局処理を開始させる必要がある。一方、ステップＳ２においてテレビ視聴中で無い、つまり選局処理は実行されていないことが確認されているので、本ステップにおいて（テレビ視聴機能が選択されるかもしれないという可能性のもとで）先行して選局処理が開始される。そして制御は、ステップＳ４に進む。
【００２４】
なお、上述のステップＳ２においてＹｅｓ、つまりテレビ視聴機能が動作中である場合には、制御はステップＳ３をスキップしてステップＳ４に進む。これは、テレビ視聴中であるので、選局処理は既に実行済みであるためである。
【００２５】
ステップＳ４において、テレビ視聴機能が選択されたか否かが判断される。Ｎｏと判断される場合、制御はステップＳ５に進む。
【００２６】
ステップＳ５において、監視用のタイマーが起動される。つまり、タイマーパラメータＴ１が０に設定されると共カウントを開始する。そして、制御は次のステップＳ６に進む。
【００２７】
ステップＳ６において、タイマーパラメータＴ１の値が所定秒数ｎ１以上であるか否かが判断される。Ｎｏと判断される場合、制御は上述のステップＳ４に戻る。そして、テレビ視聴機能が選択されていないと判断される場合に、再度本ステップにおいてＴ１が所定秒数ｎ１以上であるか判断される。つまり、Ｙｅｓと判断される場合にのみ、制御は次のステップＳ７に進む。
【００２８】
ステップＳ７において、ステップＳ３において開始された選局処理が中断される。つまり、ステップＳ１におけるメニューの表示より所定秒数ｎ１が経過しても、ステップＳ４でテレビ視聴が選択されていないと判断される場合には、ユーザはテレビ視聴を所望していないと見なして、不要な選局処理を停止させている。これにより、不要な電力消費や装置の消耗を防止している。この目的の為に、ｎ１は０以上の任意の値に設定される。よって、所定秒数ｎ１を例えば０に設定すれば、選局処理を即座に中断させることもできる。
【００２９】
言い換えれば、所定秒数ｎ１はユーザがメニュー提示（ステップＳ１）以降に、テレビ視聴を選択（ステップＳ４でＹｅｓ）するまでに与えられた余裕時間である。さらに言えば、携帯端末１ａにおいてはユーザのテレビ視聴の選択が完了するまでの所定秒数ｎ１の間に、選局処理を先行して進めることによって、ユーザがテレビ視聴の選択を完了（ステップＳ４でＹｅｓ）してから、実際にテレビ視聴できるまでの要する時間が短縮される。
【００３０】
一方、上述のステップＳ４においてＹｅｓと判断、つまりテレビ視聴が選択された場合には、上述のステップＳ５、およびＳ６、およびＳ７をスキップして、制御は終了する。つまり、ユーザがメニュー画面に基づいてテレビ視聴機能を選択した場合には、既に視聴中でない場合（ステップＳ２においてＮｏ）には、ステップＳ３において開始された選局処理が継続されて、短縮された待ち時間の後にテレビ視聴が可能になる。なお、テレビ視聴中（ステップＳ２においてＹｅｓ）の場合には、選局処理は既に実行されているので、ステップＳ３は省略されている。
【００３１】
図４および図５に、上述のステップＳ１において表示されるメニュー画面の表示例を示す。なお、図４は機能実行中に機能選択メニューを開き、画面合成する場合の画面であり、図５は機能を中断して画面全体に機能選択メニューを開く場合の画面である。本発明においては、図４および図５に示した２つのメニュー画面の何れを表示してもよい。さらに、ユーザが所望する機能を選択入力できるインターフェースとしての目的を達成できる内容であれば、メニュー画面はどのようなものでもよい。
【００３２】
なお、本実施の形態に係る携帯端末１ａは、ユーザによる持ち運びが想定されている。そのような携帯端末１ａにおいては、ユーザがテレビ視聴機能を選択しても、携帯端末１ａが位置するエリアによっては、携帯端末１ａに初期設定されているチャネルに選局できないという事態が生じる。対策として、ステップＳ３における選局処理をチャネルサーチに置き換えることで、携帯端末１ａが異なるエリア間を移動しても、現時点でのエリアにて視聴可能なチャネルを即座に提示できる。
【００３３】
また、機能選択メニューを開いて（ステップＳ１）いる間の選局処理中（ステップＳ３）に、テレビ視聴部３におけるデマルチプレクサ部１４とチューナ制御部１０によってＰＳＩセクションからＮＩＴやＰＭＴを抽出して、履歴として保存しておくことによって次回からの選局処理を簡略化できる。
【００３４】
上述のように、本実施の形態においては、ユーザがメニュー画面を介して機能選択を行っている間に、選局処理を進めて、ユーザの選択したサービスが提示されるまでの待ち時間を短縮する。結果、ユーザの不快感を和らげることができる。
【００３５】
なお、ユーザによる機能選択が完了する前にすべての搭載機能を起動開始させてもよいし、テレビ視聴機能のように特に起動に時間を要する機能のみを起動開始させてもよい。また、起動を開始させるか否かをユーザによって設定できるようにしてもよい。
【００３６】
（第２の実施の形態）
次に、本発明の第２の実施の形態に係る携帯端末１ｂ（図示せず）について説明する。なお、携帯端末１ｂは上述の機能選択部２ａが機能選択部２ｂ（図示せず）に交換されている点をのぞけば携帯端末１ａと同様に構成されている。なお、機能選択部２ｂはその動作が、機能選択部２ａと異なる。よって、機能選択部２ｂについて重点的に説明する。
【００３７】
図６を参照して、機能選択部２ｂによる機能選択および機能起動動作について説明する。なお、本例においては、携帯端末１ａにおけるとは異なりユーザに対して機能選択を促すメニューは表示されない。ユーザは、選択可能な機能と当該機能に対応して割り当てられているキーを長押しすることにより、所望する機能を選択入力することができる。それ以外は、上述の携帯端末１ａにおけるのと同様である。
【００３８】
先ず、ステップＳ１１において、ユーザが選択できる機能であるテレビ視聴を実現するための選局処理が開始される。そして、制御は次のステップＳ１２に進む。
【００３９】
ステップＳ１２において、キーの長押しを判定するためのタイマーが起動される。つまり、タイマーパラメータＴ２が０に設定される。タイマーパラメータＴ２は、キーが押下されている間カウントされ、キーの押下が止んだ時点でカウントが停止される。そして、制御は次のステップＳ１３に進む。
【００４０】
ステップＳ１３において、タイマーパラメータＴ２の値が所定秒数ｎ２以上であるか否かが判断される。なお、所定秒数ｎ２は、ユーザによる長押しキーが成されたか否かの判断となる時刻を規定するものであり、０以上の任意の値に設定される。Ｎｏ、つまりユーザはキーを長押ししなかったと判断される場合には、制御はステップＳ１４に進む。
【００４１】
ステップＳ１４において、ステップＳ１１で開始された選局処理が中断される。つまり、選局処理はステップＳ１２において開始されてから、所定秒数ｎ２の経過後に中断される。これは、上述のステップＳ７における処理と同じ理由である。なお、上述のステップＳ１３においてＹｅｓ、つまりユーザがキーを長押ししたと判断される場合、制御はステップＳ１５に進む。
【００４２】
ステップＳ１５において、視聴が開始される。つまり、ユーザが途中でキーを離した場合には選局処理を中断する（ステップＳ１４）一方、そうでない場合は、ユーザがキーの長押しを行っている間に、選局処理を進めることによって、ユーザが長押し後から実際に視聴できるまでに要する時間を短縮できる。つまり、待ち時間によるユーザの不快感を和らげることができる。
【００４３】
（第３の実施の形態）
次に、本発明の第３の実施の形態に係る携帯端末１ｃ（図示せず）について説明する。なお、携帯端末１ｃは上述の機能選択部２ａが機能選択部２ｃ（図示せず）に交換されている点をのぞけば携帯端末１ａと同様に構成されている。なお、機能選択部２ｃはその動作が、機能選択部２ａと異なる。よって、機能選択部２ｃについて重点的に説明する。
【００４４】
図７を参照して、機能選択部２ｃによる機能選択および機能起動動作について説明する。なお、本例においては、携帯端末１ｂにおけると同様にユーザに対して機能選択を促すメニューは表示されない。ユーザは、選択可能な機能と当該機能に対応して割り当てられているキーを繰り返し押下することにより、所望する機能を選択入力することができる。それ以外は、上述の携帯端末１ａにおけるのと同様である。
【００４５】
先ず、ステップＳ２１において、ステップＳ１１におけるのと同様に選局処理が開始される。そして、制御は次のステップＳ２２に進む。
【００４６】
ステップＳ２２において、キー押下が繰り返しているか否かを判定するためのタイマーが起動される。つまり、タイマーパラメータＴ３が０に設定される。タイマーパラメータＴ３は、キーが押下されて時点でカウントが開始され、キーの押下が止んだ後も引き続きカウントは継続され、キーが再び押下された時点でカウントが停止される。そして、制御は次のステップＳ２３に進む。
【００４７】
ステップＳ２３において、タイマーパラメータＴ３の値が所定秒数ｎ３以下であるか否かが判断される。なお、所定秒数ｎ３は、ユーザによるキーの繰り返し押下がされたかの判断となる時刻、つまりキーの繰り返し押下の時間間隔を規定するものであり、０以上の任意の値に設定される。Ｙｅｓ、つまりユーザは所定秒数ｎ３以内に同一キーの押下を繰り返えした判断される場合には、制御はステップＳ２４に進む。
【００４８】
ステップＳ２４において、タイマーパラメータＴ３が０にリセットされる。これは、ユーザのキーの繰り返し押下を有効、つまりユーザはテレビ視聴を選択する可能性があると判断して、ステップＳ２１で開始された選局処理の継続を許すと共に、次のキーの繰り返し押下に備える処理である。そして、制御は上述のステップＳ２３に戻る。
【００４９】
一方、上述のステップＳ２３においてＮｏ、つまりユーザは所定秒数ｎ３以内に同一キーの押下を繰り返えさなかった判断される場合には、制御はステップＳ２５に進む。
【００５０】
ステップＳ２５において、選局処理が中断される。つまり、ユーザはテレビ視聴を選択しなかったと判断しての処理である。そして、制御は終了する。
【００５１】
上述のように、本実施の形態においては、ユーザによって機能選択キーが連続的に押下される間に、選局処理を進めて、ユーザの選択したサービスが提示されるまでの待ち時間を短縮する。結果、ユーザの不快感を和らげることができる。
【産業上の利用可能性】
【００５２】
本発明は、テレビ視聴機能やカメラ機能など、起動に時間がかかるような機能を多数搭載したＡＶモバイル端末等の携帯型端末に利用することが可能である。
【図面の簡単な説明】
【００５３】
【図１】本発明の実施の形態に係る携帯端末の構成を示すブロック図
【図２】図１におけるテレビ視聴部の構成を示すブロック図表示例を示す説明図
【図３】第１の実施の形態における機能選択動作を示すフローチャート
【図４】機能選択用に提示されるメニュー画面の表示例の説明図
【図５】機能選択用に提示されるメニュー画面の、図４に示すのとは異なる表示例の説明図
【図６】第２の実施の形態における機能選択動作を示すフローチャート
【図７】第３の実施の形態における機能選択動作を示すフローチャート
【符号の説明】
【００５４】
１ａ、１ｂ、１ｃ  携帯端末
２ａ、２ｂ、２ｃ  機能選択部
３  テレビ視聴部
４  画像撮影部
５  音楽視聴部
６  画像出力部
７  画像入力部
８  音声出力部
１０  チューナ制御部
１１  デジタル放送受信部
１２  信号復調部
１３  デジタルチューナ部
１４  デマルチプレクサ部
１５  映像復号部
１６  映像バッファ
１７  映像出力制御部
１８  映像制御部
１９  映像制御命令部
２０  音声復号部
２１  音声バッファ
２２  音声出力制御部
２３  音声制御部
２４  音声制御命令部
【図１】
2007081951.tif 000003
【図２】
2007081951.tif 000004
【図３】
2007081951.tif 000005
【図４】
2007081951.tif 000006
【図５】
2007081951.tif 000007
【図６】
2007081951.tif 000008
【図７】
2007081951.tif 000009